(57)【要約】  【課題】  支柱を有する標識、看板等の被固定物、特に夜間の道路工事等において現場を照らすライトを、道路路側に設置されているガードレールや、門扉等の既設の構造物を利用して、簡単に、且、確実に設置する為の支柱支持装置を提供せんとするものである。  【解決手段】  支柱を固定する為の固定手段を備えた第１狭持板と、先端に締付板を備えた締付手段を備える第二狭持板と、前記２つの狭持板の上端部同士を連結する上部載置板並びに前記第一狭持板と第二狭持板の下端を連結する取り外し自在な連結部材からなり、該狭持板及び上部載置板で作出される下向きコ字状の空間に既設の構造物を位置させ、第一狭持板、第二狭持板を連結部材で連結し、締付手段で前記構造物を第一狭持板との間で押圧狭持して固定するようにしたことを特徴とする。  【選択図】図１
0003122720.tif 000002
【実用新案登録請求の範囲】
【請求項１】
支柱を固定する為の固定手段を備えた第１狭持板と、先端に締付板を備えた締付手段を備える第二狭持板と、前記２つの狭持板の上端部同士を連結する上部載置板並びに前記第一狭持板と第二狭持板の下端を連結する取り外し自在な連結部材からなり、該狭持板及び上部載置板で作出される下向きコ字状の空間に既設の構造物を位置させ、第一狭持板、第二狭持板を連結部材で連結し、締付手段で前記構造物を第一狭持板との間で押圧狭持して固定するようにしたことを特徴とする支柱支持装置。
【請求項２】
上部載置板の短手方向両端に、傾斜防止翼を延出させたことを特徴とする請求項１記載の支柱支持装置。
【請求項３】
締付板の形状が、円板状であることを特徴とする請求項１又は２記載の支柱支持装置。
【請求項４】
締付板の形状が、長尺の板状であることを特徴とする請求項１又は２記載の支柱支持装置。
【請求項５】
構造物が道路路側に既設されているガードレールであることを特徴とする請求項１乃至４のいずれかに記載の支柱支持装置。
【請求項６】
締付板、第一狭持板及び上部載置板が構造物に接する面に、緩衝保護部材を取り付けてあることを特徴とする請求項１乃至５のいずれかに記載の支柱支持装置。
【考案の詳細な説明】
【技術分野】
【０００１】
本考案は、支柱を有する標識、看板等の被固定物、特に夜間の道路工事等において現場を照らすライトを、道路路側に設置されているガードレールや門扉等の既設の構造物を利用して、簡単に固定、設置するための支柱支持装置に関する。
【背景技術】
【０００２】
従来より支柱を有する標識、看板等をガードレールや電柱等にその支柱を締結することで固定することは行われているが、夜間の道路工事等において現場を照らすためのライトを固定することは行われていない。通常用いられる照明装置は、発電機とランプ、支柱が一体になったものである。しかしながら該装置は、発電用エンジンを内蔵すると共にランプを支える支柱に強度を持たせているため非常に重量があり、又、設置に際し一定の面積を有すると共に高価な機材である。それ故に工事現場に十分な数を搬入することが出来ないという欠点を有している。
【０００３】
そこでランプ・支柱を軽量化すると共に電源を別体にし、該支柱を三脚で支持する方法が提供されはじめている。この方法によれば工事現場への照明装置の搬入作業が楽になるが、現地で三脚を広げる為、設置に要する面積が前述の投光機に比べ更に大きくなってしまうと欠点がある。又、三脚を安定させるためのおもりを三脚の数だけ用意しなければならないという欠点もある。
【０００４】
さて、従来よりガードレールを利用して道路標識や看板の工事現場用表示板を設置する方法としては、例えば、実開平３−７６０１８号公報（特許文献１）、登録実用新案第３０６５５９０号公報（特許文献２）にて開示されている。特許文献１に開示の技術は、ガードレールの上下を狭持金具で挟み、表示板を固定する受け枠体から延びる支柱を固定するようにしたものである。この方法にあっては既設のガードレールに標識等を固定することは出来るが、その固定方法が非常に煩雑である。
【０００５】
すなわち、支柱から延びる上部狭持金具をガードレールの上端に係止した後、下部狭持金具をガードレール下端に係止するものであるが、この下部狭持金具の係止には、下方に位置するボルトを回転させつつ該狭持金具をガードレール下端に移動させる必要があり、近傍の地形や夜間等の暗所においては、そのボルトの操作に困難を極めるという不具合を有する。尚、本文献は工事現場用表示板を固定することを目的として投光用ランプをガードレールに固定するということは概念すら開示されていない。
【０００６】
特許文献２に開示の技術は、道路交通の安全確保のための表示板や標識板を、ガードレールに固定するためのホルダーを開示しており、標識を取り付ける台座となる本体に、２本の挟脚を取り付けた後、該挟脚間にガードレールを挟み、且、両挟脚の下端をボルトで締め付けることで挟脚間の間隙を減少させ、ガードレールに固定するものである。
【０００７】
前述の考案に比べガードレールへの取付け方法がやや簡便ではあるが、ガードレールを挟んだ後にガードレール下方において挟脚をボルトで固定する必要があるため、やはり固定部近傍の地形や夜間等の暗所においては、その作業が困難であるという欠点を有している。又、標識等を固定することのみを目的としていることも前記考案と同様である。このように道路路側に既設のガードレールや門扉等を利用して、夜間の道路工事等において現場を照明するライトを固定することは行われていないのが現状である。
【特許文献１】実開平３−７６０１８号公報
【特許文献２】登録実用新案第３０６５５９０号公報
【考案の開示】
【考案が解決しようとする課題】
【０００８】
本考案は、支柱を有する標識、看板等の被固定物、特に夜間の道路工事等において現場を照らすライトを、道路路側に設置されているガードレールや門扉等の既設の構造物を利用して、簡単に、且、確実に設置する為の支柱支持装置を提供せんとするものである。
【課題を解決するための手段】
【０００９】
上記課題を解決するために本考案が採った手段は、支柱を固定する為の固定手段を備えた第１狭持板と、先端に締付板を備えた締付手段を備える第二狭持板と、前記２つの狭持板の上端部同士を連結する上部載置板並びに前記第一狭持板と第二狭持板の下端を連結する取り外し自在な連結部材からなり、該狭持板及び上部載置板で作出される下向きコ字状の空間に既設の構造物を位置させ、第一狭持板、第二狭持板を連結部材で連結し、締付手段で前記構造物を第一狭持板との間で押圧狭持して固定するようにしたことを特徴とする。
【００１０】
上部載置板の短手方向両端に、傾斜防止翼を延出させたことを特徴とし、又、締付板の形状が、円板状又は、長尺の板状であることを特徴とする。
【００１１】
固定対象となる構造物が道路路側に既設されているガードレールであることを特徴とする。
【考案の効果】
【００１２】
本考案は、道路路側に設置されているガードレールや、門扉等の既設の構造物を狭持するように装置本体を固定し、該装置本体に支柱を介して標識、看板等、特に夜間照明となるランプを固定することが出来るため、地面に三脚や専用の台座を設置する必要が無くなり、設置箇所の地面がどの様な状態であっても確実に設置することが出来るようになる。
【００１３】
又、支柱支持装置はガードレールのみでなく、狭持板間に門扉等の構造物を挟むことで固定しているため、如何なる場所でも固定することが出来る。尚、支柱支持装置に固定する支柱は前述の物に限られず、支柱を備えたものならその種類を問わず所望の箇所に簡単、且、確実に固定出来る。
【考案を実施するための最良の形態】
【００１４】
この考案の好ましい実施の形態を、図を参照しながら以下に詳細に説明する。尚、実施例として特に夜間照明に用いられるランプ及び支柱を例として説明する。図１は本願考案の支柱支持装置の斜視図であって、(１)は装置本体であり、第一狭持板(２)と、該第一狭持板(２)に蝶番(３)で連結された上部載置板(４)、並びに該上部載置板(４)の一端に直角に接続された第二狭持板(５)からなる。第一狭持板(２)の外面側には後述のランプの支柱を挿入固定する為の固定筒(６)が取り付けられており、該固定筒(６)には挿入した支柱を固定するための固定ネジ(７)が螺挿されている。前記第一狭持板(２)下端にはチェーン(12)を連結するためのフックが取り付けられており、又、第二狭持板(５)の下端には前記フックに連結可能なチェーン(12)が取り付けられている。
【００１５】
上部固定板(４)の短手方向両側には傾斜防止翼(８)が延設されている。これはガードレールの上端において、ガードレールの長手方向に当接するようになっており、これにより支持装置本体(１)が何らかの要因で傾斜する力を受けたときに、傾斜を防止するものである。又、第二狭持板(５)の中程にはボルト(９)が螺挿されており外側端部にはハンドル(9a)が取り付けられており、又、他端には締付板(10)が取り付けられ締付手段を構成している。尚、第一狭持板(２)、上部載置板(４)、傾斜防止翼(８)、締付板(10)のガードレール接触面には、保護部材(11)が取り付けられており、ガードレールのキズ発生を防止する。該保護部材(11)は例えばＭＣナイロンが好適であるが、特にこれに限定されるものではない。
【００１６】
次にガードレールへの固定方法について説明する。図２に示すように、まず第一狭持板(２)及び第二狭持板(５)の下端同士を連結しているチェーン(12)を外し開放状態にすると共に第二狭持板(５)に螺挿されている締付ボルト(９)を外側へ即ちハンドル(9a)側へ移動させる。次に第一狭持板(２)の保護部材(11)をガードレールの表面側に当接させつつ、ガードレール上端に上部載置板(４)が当接するように装着する。次に蝶番(３)を基点に第二狭持板(５)をガードレール側へ回動させて、第一狭持板(２)、第二狭持板(５)及び上部載置板(４)により作出される下向きコ字状の空間内にガードレールを位置させた後、チェーン(12)で第一狭持板(２)と第二狭持板(５)を連結しガードレールを囲繞した状態とする。
【００１７】
次にハンドル(9a)を回転させて締付ボルト(９)を第一狭持板(２)方向へ螺進させ、締付板(10)をガードレール方向へ前進させる。ガードレール(13)は通常図示の如く略弓形状をしており、裏面中央には凸部(13a)を有している。尚、前記締付ボルト(９)は装置(１)をガードレールに装着したとき、第二狭持板(５)の対応する位置に螺挿されている。
【００１８】
更にハンドル(9a)を回転させることで第一狭持板(２)と締付板(10)でガードレールを押圧狭持する。この時、第一狭持板(２)と第二狭持板(５)はその間隔を広げようとするが、前述のようにチェーン(12)で両狭持板を連結しているため、両狭持板間は広がらず、該締付ボルト(９)の押圧力はガードレールの凸部(13a)並びに表側平坦部(13b)を介して第一狭持板(２)にかかる。これにより支持装置本体(１)をガードレールに強固に固定することが出来る。又、上部載置板(４)から延出した傾斜防止翼(８)はガードレール(13)の頂部においてガードレール長手方向に当接しているため、支持装置本体(１)に何らかの外因が作用した時、該傾斜防止翼(８)がガードレールを押下するように働く為、結果装置本体の傾斜を防止することが可能となっている。
【００１９】
図３は前述の方法により支持装置本体(１)をガードレール(13)に固定し、更にランプ(15)及び支柱(14)を取り付けた状態を示すものである。第一狭持板(２)の固定筒(６)に支柱(14)を所望の位置まで挿入し、固定ネジ(７)を締め支柱(14)を支持装置本体(１)に固定する。尚、固定筒(６)に固定可能な支柱はランプ用支柱に限られるものではないことはいうまでもない。
【００２０】
本考案の支持装置にはランプ用電源は備わっていないので、電源として例えば図６に示すような発電機(23)をガードレールのそばに配置しケーブル(22)で接続する。尚、発電機を用いることなく商用電源を用いることも可能である。このようにランプ直下に発電機等の機器を設置する必要が無いため、ランプ直下や近傍の工事を行う場合でもランプを点灯させることが可能である。
【００２１】
図４は他の実施形態を示すものである。基本的な構造は前述の実施例１のものと同じであるが、締付板の形状に相違を有する。本実施例にあっては、図示の如く締付板(20)を長尺の板形状としている。これにより第一狭持板(２)と締付板(20)の間隙全てでガードレール、門扉等の既設の構造物を狭持することが可能となる。例えば図５，６に示されるような２本のパイプからなるガードパイプ(21)に支持装置本体(１)を固定することが可能となる。
【００２２】
締付ボルト(９)と締付板(20)との連結部(9b)にはユニバーサルジョイントを用いるのが好ましい。これにより第一狭持板(２)と締付板(20)に角度をもたせることが可能となり、図のようにガードパイプ(21)が上下異なる直径のパイプからなる場合であっても、締付板(20)が、ボルト(９)に対して角度のある状態で上下のパイプに当接し、締付ボルトの押圧力を掛けられ、支持装置本体(１)を確実に固定出来るようになる。
【００２３】
上述のように本願考案の支柱支持装置は、既設の構造物を狭持したのち、締付ボルトを締めるだけで簡単に、且、確実に固定することが可能となっている。説明には道路路側に既設のガードレールを例にしているが、門扉や壁等を利用することも可能であり、その場合の固定手順は前述の通りである。
【図面の簡単な説明】
【００２４】
【図１】本願考案に係る支柱支持装置を示す図
【図２】ガードレールへの取付け途中を示す図
【図３】ガードレールに取り付けランプを固定した状態を示す図
【図４】他の実施形態の支柱支持装置を示す図
【図５】ガードパイプを挟んだ状態を示す図
【図６】ガードパイプに取り付けランプを固定した状態を示す図
【符号の説明】
【００２５】
１  支持装置本体
２  第一狭持板
３  蝶番
４  上部載置板
５  第二狭持板
６  固定筒
７  固定ネジ
８  傾斜防止翼
９  締付ボルト
9a  ハンドル
9b  連結部
10  締付板
11  保護部材
12  チェーン
13  ガードレール
13a  凸部
13b  平坦部
14  支柱
15  ランプ
20  取付板
21  ガードパイプ
22  ケーブル
23  発電機
【図１】
0003122720.tif 000003
【図２】
0003122720.tif 000004
【図３】
0003122720.tif 000005
【図４】
0003122720.tif 000006
【図５】
0003122720.tif 000007
【図６】
0003122720.tif 000008